(57)【特許請求の範囲】
【請求項１】
データ供給源からＷｅｂページを記述する為の言語で記述された所望の文書データを取得し、該取得した文書データに対応した文書画像を表示するようにした文書閲覧システムにおいて、
互いに所定の通信路にて接続されたデータ読み込み装置と文書表示装置とが個別に設けられ、
上記データ読み込み装置は、文書表示装置からの要求に係る前記文書データをデータ供給源から取得するデータ取得手段と、
該データ取得手段にて取得された前記文書データを文書表示装置にて画像表示可能な形式の第１の表示用データに変換すると共に、前記文書データにリンク先の他の文書データの明示がある場合、前記リンク先の他の文書データから変換した第２の表示用データをリンク先へのリンク部分として表示するように前記第１の表示用データ内に埋め込むデータ形式変換手段とを備え、
該データ形式変換手段にて得られた第１及び第２の表示用データを、前記通信路を介して文書表示装置に送信するよう構成すると共に、
上記文書表示装置は、上記データ読み込み装置から前記通信路を介して受信される前記第１及び第２の表示用データに基づいて対応する画像を表示ユニットに表示させる表示制御手段を備え、
上記データ読み込み装置は、上記文書表示装置からの要求に係る前記文書データに、当該文書データにリンクする他の文書データの明示がある場合、要求に係る前記文書データをデータ形式変換手段が変換して得られた第１の表示用データに含まれる前記リンク先の他の文書データを明示する部位と当該他の文書データとの関係を表すリンク情報を作成するリンク情報作成手段を備え、該リンク情報作成手段にて作成されたリンク情報を文書表示装置に送信するように構成すると共に、
上記文書表示装置は、上記文書表示装置から受信した該リンク情報に基づいて当該要求に係る文書データにリンクする文書データをデータ読み込み装置に要求するリンクデータ要求手段を有する文書閲覧システム。
【請求項２】
データ供給源からＷｅｂページを記述する為の言語で記述された所望の文書データを取得し、該取得した文書データに対応した文書画像を表示するようにした文書閲覧システムに設けられるデータ読み込み装置において、
文書画像表示を行う文書表示装置と所定の通信路にて接続されると共に、
該文書表示装置からの要求に係る前記文書データをデータ供給源から取得するデータ取得手段と、
該データ取得手段にて取得された前記文書データを文書表示装置にて画像表示可能な形式の第１の表示用データに変換すると共に、前記文書データにリンク先の他の文書データの明示がある場合、前記リンク先の他の文書データから変換した第２の表示用データをリンク先へのリンク部分として表示するように前記第１の表示用データ内に埋め込むデータ形式変換手段と、
上記文書表示装置からの要求に係る前記文書データに、当該文書データにリンクする他の文書データの明示がある場合、要求に係る前記文書データをデータ形式変換手段が変換して得られた第１の表示用データに含まれる前記リンク先の他の文書データを明示する部位と当該他の文書データとの関係を表すリンク情報を作成するリンク情報作成手段とを備え、
前記第１の表示用データ，第２の表示用データ，リンク情報を上記所定の通信路を介して文書表示装置に送信するようにしたデータ読み込み装置。
【請求項３】
データ供給源からＷｅｂページを記述する為の言語で記述された所望の文書データを取得し、該取得した文書データに対応した文書画像を表示するようにした文書閲覧システムに設けられる文書表示装置において、
表示すべき画像に対応した文書データを、所定の通信路を介して外部装置に要求した後に、該要求に係る文書データを当該文書表示装置にて画像表示可能な形式に変換して得られる表示用データを当該外部装置から受信したときに、その受信した表示用データに基づいて対応する画像を表示ユニットに表示させる画像表示制御手段を有し、
前記表示用データは、前記文書データにリンク先の他の文書データの明示がある場合にリンク先へのリンク部分として表示するように前記リンク先の他の文書データから変換した表示用データが埋め込まれている文書表示装置。
【発明の詳細な説明】
【０００１】
【発明の属する技術分野】
本発明は、文書画像の閲覧を行えるようにした文書閲覧システムに係り、詳しくは、データ供給源から所望のデータを取得し、該取得したデータに対応した画像を表示するようにした文書閲覧システムに関する。
また、本発明は、そのような文書閲覧システムで用いられるデータ読み込み装置及び文書表示装置に関する。
【０００２】
【従来の技術】
例えばネットワーク( 例えば、インターネット) を介して提供されるデータに対応した文書画像を閲覧する文書閲覧システムでは、ネットワーク上からデータを取得する機能、取得したデータを解析する機能、解析結果に基づいて文書画像を生成し、表示ユニットに表示させる機能等が必要とされる。従来の文書閲覧システムでは、これらの機能を単一の装置（コンピュータ）にて実現している。
【０００３】
【発明が解決しようとする課題】
ところで、このような文書閲覧システムにおいて、例えば、リンクする複数の文書画像や３次元ＣＧ画像を表示ユニットに表示させる機能や、表示された文書画像を加工（拡大、縮小など）機能など、文書画像の表示に係る機能を更に充実させる傾向にある。このような状況において、上述した従来の文書閲覧システムのように、単一の装置にて全ての機能を実現しようとすると、限られた計算リソースを比較的多くの機能を実現するために使用しなければならず、その処理速度の低下を招いてしまう。
【０００４】
また、複数のユーザが同時に文書画像の閲覧を希望する場合、複数のユーザのそれぞれに対して、上述した文書閲覧システムの全ての機能を搭載した装置( コンピュータ) が必要となり、必ずしも資源の有効的な活用がなされているとはいえない。
そこで、本発明の第一の課題は、できるだけ処理速度の低下を招くことなく文書画像表示の機能を充実させることができ、かつ、資源の有効的な活用が可能となるような文書閲覧システムを提供することである。
【０００５】
また、本発明の第二の課題は、そのような文書閲覧システムで用いられるデータ読み込み装置を提供することである。
更に、本発明の第三の課題は、そのような文書閲覧システムで用いられる文書表示装置を提供することである。
【０００６】
【課題を解決するための手段】
上記第一の課題を解決するため、本発明は、データ供給源から所望のデータを取得し、該取得したデータに対応した文書画像を表示するようにした文書閲覧システムにおいて、互いに所定の通信路にて接続されたデータ読み込み装置と文書表示装置とが個別に設けられ、上記データ読み込み装置は、文書表示装置からの要求に係るデータをデータ供給源から取得するデータ取得手段と、該データ取得手段にて取得されたデータを文書表示装置にて画像表示可能な形式の表示用データに変換するデータ形式変換手段とを備え、該データ変換手段にて得られた表示用データを通信路を介して文書表示装置に送信するよう構成すると共に、上記文書表示装置は、上記データ読み込み装置から通信路を介して受信される表示用データに基づいて対応する画像を表示ユニットに表示させる表示制御手段とを備えるように構成される。
【０００７】
このような文書閲覧システムでは、文書表示装置からユーザ所望のデータの要求をデータ読み込み装置が受信すると、データ読み込み装置は、その要求に係るデータをデータ供給源から取得し、その取得したデータを文書表示装置にて画像表示可能な形式の表示用データに変換する。そして、その表示用データがデータ読み込み装置から文書表示装置に送信される。
【０００８】
この表示用データを受信した文書表示装置では、その表示用データに対応する画像が表示ユニットに表示される。文書表示装置では、表示すべき文書のデータの取得、画像表示可能な形式への変換のための処理を行う必要がない。
また、上記のような構成の文書閲覧システムでは、単一のデータ読み取り装置の配下に複数の画像表示装置を配置するように構成することが容易である。
【０００９】
データ供給源は、データ読み取り装置に直接接続されたデータ蓄積装置であっても、所定のネットワーク（ＬＡＮ、インターネット）を介して接続される外部装置であってもよい。
また、データ読み取り装置と文書表示装置を接続する通信路は、両装置において所定の通信手順に従ってデータの送受が可能であれば、特に限定されず、両装置を直接接続する通信線であっても、ＬＡＮ、公衆回線網、インターネット等のネットワークであてもよい。
【００１０】
要求に係るデータにリンクする他のデータに対応する文書画像の閲覧が可能となるという観点から、本発明は、上記文書閲覧システムにおいて、上記データ読み込み装置は、上記文書表示装置からの要求に係るデータに当該データにリンクする他のデータの明示がある場合、要求に係るデータをデータ形式変換手段が変換して得られた表示用データに含まれるリンク先の他のデータを明示する部位と当該他のデータとの関係を表すリンク情報を作成するリンク情報作成手段を備え、該リンク情報作成手段にて作成されたリンク情報を文書表示装置に送信するように構成すると共に、上記文書表示装置は、上記文書表示装置から受信した該リンク情報に基づいて当該要求に係るデータにリンクするデータをデータ読み込み装置に要求するリンクデータ要求手段を有するように構成することができる。
【００１１】
このような文書閲覧システムでは、文書表示装置がリンク情報を受信すると、文書表示側では、この受信したリンク情報から表示用データに含まれるリンク先のデータを明示する部位が判る。その結果、その部位に対応したリンク先のデータをデータ読み出し装置に要求できる。データ読み出し装置は、リンク先のデータの要求を受信すると、その要求に係るリンク先のデータをデータ供給源から取得し、その取得したデータを文書表示装置で画像表示可能な形式となる表示用データに変換する。そして、その表示用データがデータ読み出し装置から文書表示装置にて送信されると、文書表示装置において、その表示用データに対応した画像が表示ユニットに表示される。
【００１２】
できるだけ通信路を伝送するデータ量を低減できるという観点から、上記文書閲覧システムにおいて、データ読み込み装置におけるリンク情報作成手段は、文書表示装置からの要求に基づいてリンク情報を作成するように構成することができる。
このような文書閲覧システムでは、ユーザが文書の閲覧を行うために使用する文書表示装置から要求があったときに、データ読み込み装置においてリンク情報が作成され、そのリンク情報が文書表示装置に送信される。従って、ユーザが要求に係るデータにリンクする他のデータが必要な場合にのみ、リンク情報を文書表示装置とデータ読み込み装置との間の通信路を伝送するようにできる。
【００１３】
リンク情報を受信した文書表示装置において、リンクされるデータに対応した画像をいつでも表示することができるという観点から、上記文書閲覧システムにおいて、上記文書表示装置は、要求したデータと該データに対して作成されたリンク情報との関連付けを管理するリンク管理手段を有するように構成することができる。
【００１４】
このような文書閲覧システムでは、文書表示装置は、すでに要求したデータとそのデータにリンクされる他のデータに関するリンク情報との関係を管理しているので、その管理に基づいてそれぞれリンクしたデータをデータ読み出し装置に要求することができるようになる。
要求に係るデータが取得できなかったことを文書表示装置に伝えることができるという観点から、上記各文書閲覧システムにおいて、上記データ読み取り装置は、文書表示装置からの要求に係るデータをデータ取得手段がデータ供給源から取得できたか否かを判定するデータ取得判定手段と、要求に係るデータを取得できなかったとデータ取得判定手段が判定したときに、データの取得がなされなかったことを表す情報を文書表示装置に送信するように構成することができる。
【００１５】
上記のようにデータの取得がなされなかったことを表す情報を受信する文書表示装置において、できるだけ、要求に係るデータに対応した画像を表示させることができるという観点から、上記文書閲覧システムにおいて、上記文書表示装置は、データ読み取り装置から上記データの取得がなされなかったことを表す情報を受信したときに、当該データの再度の要求をデータ読み出し装置に送信する再要求手段と、再要求手段によるデータの要求が所定回数連続的に行われたときに、データの要求を停止する要求停止制御手段を備えるように構成することができる。
【００１６】
上記第二の課題を解決するため、本発明は、データ供給源から所望のデータを取得し、該取得したデータに対応した文書画像を表示するようにした文書閲覧システムに設けられるデータ読み込み装置において、文書画像表示を行う文書表示装置と所定の通信路にて接続されると共に、該文書表示装置からの要求に係るデータをデータ供給源から取得するデータ取得手段と、該データ取得手段にて取得されたデータを文書表示装置にて画像表示可能な形式の表示用データに変換するデータ形式変換手段とを備え、該データ変換手段にて得られた表示用データを上記所定の通信路を介して文書表示装置に送信するように構成される。
【００１７】
また、上記第三の課題を解決するため、本発明は、データ供給源から所望のデータを取得し、該取得したデータに対応した文書画像を表示するようにした文書閲覧システムに設けられる文書表示装置において、表示すべき画像に対応したデータを所定の通信路を介して外部装置に要求した後に、該要求に係るデータを当該文書表示装置にて画像表示可能な形式に変換して得られる表示用データを当該外部装置から受信したときに、その受信した表示用データに基づいて対応する画像を表示ユニットに表示させる画像表示制御手段を有するように構成される。
【００１８】
【発明の実施の形態】
以下、本発明の実施の形態を図面に基づいて説明する。
本発明の実施の一形態に係る文書閲覧システムは、例えば、図１に示すように構成される。
図１において、この文書閲覧システムは、文書表示装置１及びデータ読み込み装置８とを備えている。文書表示装置１及びデータ読み込み装置８は、それぞれ独立したコンピュータシステムにて構成されると共に、通信路１５によって接続され、相互にデータ通信が行われるようになっている。なお、この通信路１５は、専用通信線であっても、ＬＡＮやインターネットなどのネットワークであってもよい。
【００１９】
文書表示装置１は、表示ユニット２、データ格納部３、表示制御部４及び通信部５を有している。データ格納部３は、表示用データや後述するようなリンク情報を格納する。表示制御部４は、データ格納部３に格納された表示用データに基づいて文書画像を表示ユニット２に表示させる。通信部５は、通信路１５に接続された受信部６及び送信部７を有している。
【００２０】
データ読み込み装置８は、通信部１０、解析部１３及び読み込み部１４を有している。通信部１０は、受信部１１及び送信部１２を有しており、受信部１１が通信路１５を介して文書表示装置１の通信部５における送信部７と接続され、送信部１２が通信路１５を介して文書表示装置１の通信部５における受信部６と接続されている。読み込み部１４は、データ供給源９と接続されおり、文書表示装置１から送信される文書データの要求信号を入力し、その要求に係る文書データをデータ供給源９から取得する。この文書データは、画像データ、動画像データや文字データを含むものであってよい。なお、この読み込み部１４とデータ供給源９との接続は、通常のデータ線によってなされても、ＬＡＮやインターネットなどのネットワークよってななされるものであってもよい。
【００２１】
解析制御部１３は、読み込み部１４によって取得された文書データの構造を解析して、その文書データを文書表示装置１にて画像表示可能な形式の表示用データに変換する。この解析制御部１３は、更に、当該取得された文書データに当該文書データにリンクする他の文書データが含まれているかを解析し、後述するようなリンク情報を作成する。解析制御部１３にて得られた表示用データやリンク情報は、通信部１０の送信部１２から通信路１５を介して文書表示装置１に送信される。
【００２２】
上記のような文書閲覧システムにおいて、例えば、図２に示すような手順に従って、文書画像の表示がなされる。なお、この例では、データ読み込み装置８は、ＷＷＷ閲覧プログラムに従ってインタネット上のデータ供給源９となるＷＷＷサーバからＨＴＭＬ形式の文書データ（ＨＴＭＬデータ）を取得している。
図２において、文書表示装置１を操作するユーザが閲覧を希望する文書データの要求を指示すると、表示制御部４から当該文書データの表示要求信号が生成され、その表示要求信号が送信部７から通信路１５を介してデータ読み込み装置８に伝送される。データ読み込み装置８において、上記表示要求信号を受信部１１が受信すると、その表示要求信号が読み込み部１４に供給される。読み込み部１４は、表示要求信号に含まれる文書データを特定する情報に基づいて当該文書データであるＨＴＭＬデータをインターネットを介してデータ供給源９( ＷＷＷサーバ) に要求する。
【００２３】
この要求を受信したデータ供給源９は、要求に係るＨＴＭＬデータをインタネットを介してデータ読み込み装置８に返送する。データ読み込み装置８において、読み込み部１４は、データ供給源９からのＨＴＭＬデータを取得すると、そのＨＴＭＬデータを解析制御部１３に供給する。解析制御部１３は、提供されたＨＴＭＬデータを解析して、当該ＨＴＭＬデータを文書表示装置１の画像表示ソフトにて処理可能な形式の表示用データ( 画像データ) に変換する。そして、この表示用データが送信部１２から通信路１５を介して文書表示装置１に伝送される。
【００２４】
文書表示装置１では、受信部６がデータ読み込み装置８からの表示用データを受信すると、その受信された表示用データがデータ格納部３に格納される。そして、表示制御部４は、要求に係る文書データに対応した表示用データが取得されたことを認識すると、その表示用データをデータ格納部３から読み出し、画像表示ソフトに従って当該表示用データに対応した文書画像を表示ユニット２に表示させる。ユーザは、表示ユニット２に表示された文書画像により、希望する文書の閲覧が行える。
【００２５】
表示ユニット２には、例えば、図３に示すように文書画像が表示される。この例では、要求に係る文書データに対応した文書画像（リンク元の文書）１６のリンクの存在位置にこの文書にリンクする他の文書( リンク先の文書) １７が小さく表示される。このような表示形態は、上述したデータ読み込み装置８における解析制御部１３において、要求に係る文書データ( ＨＴＭＬデータ) を解析する際に、その要求に係る文書データにリンク先の文書データが明示されていると判断されると、要求に係る文書データの表示データ( 画像データ) 内にそのリンク先のデータについての画像データを埋め込むことによって実現される。
【００２６】
そして、リンク元の文書画像１６を表示ユニット２の画面上で拡大させると、例えば、図４に示すように、リンク先の文書１７の表示がより明瞭となるようになる。また、図４に示す状態から、更に、リンク元の文書画像１６を縮小させると、リンク先の文書１７も縮小されながら、図３に示すような元の状態に戻る。このような処理は、表示制御部４によってなされる。
【００２７】
要求に係る文書データに対応した文書画像を表示ユニット２に表示させる際における、文書表示装置１及びデータ読み込み装置８での更に詳細な処理について説明する。
文書表示装置１における表示制御部４は、例えば、図５に示す手順に従って処理を行う。
【００２８】
図５において、まず、内部カウンタが初期値に設定された（ｎ＝０）（Ｓ１）後に、データ読み込み装置８に対してユーザが閲覧を希望する文書データの要求信号を送信する（Ｓ２）。この要求信号を送信する際の更に、具体的な処理は、例えば、図６に示すような手順に従ってなされる。即ち、要求に係る表示対象文書Ａを特定する情報がセットされた( Ｓ９０) 後に、この要求に係る表示対象文書Ａがデータ格納部３に既に格納されている( キャッシュされているか) か否かが判定される（Ｓ９１）。ここで、この要求に係る表示対象文書Ａがデータ格納部３にまだ格納されていないと判定されると、この表示対象文書Ａに関する要求信号が出力される（Ｓ９２）。一方、要求に係る表示対象文書Ａがデータ格納部３に既に格納さえている場合（キャッシュされている場合）は、特に、この文書Ａについての要求信号は出力されずに、この文書Ａの表示処理が行われる。
【００２９】
上記のようにして文書データの要求信号を出力した後に、文書表示装置１の表示制御部４は、当該要求に係る文書データに対応した表示用データのデータ読み取り装置８からの受信待ち状態になる。
この状態において、データ読み取り装置８の読み込み部１４は、例えば、図７に示す手順に従って処理を実行する。
【００３０】
図７において、内部タイマが初期値にセットされた（ｔ＝０）（Ｓ１０）後に、データ供給源９から文書データの読み込みの開始と共に当該内部タイマが起動され、内部タイマの計測時間ｔが所定時間Ｔを超えたか否かが判定される（Ｓ１１、Ｓ１２）。ここで、内部タイマの計測時間が所定時間Ｔを超えると、データ供給源９から要求に係る文書データ( ＨＴＭＬデータ) の読み込みが完了したか否かが判定される（Ｓ１３）。文書データの読み込みが上記所定時間Ｔ以内で完了していれば、その読み込んだ文書データが解析制御部１３に渡され、前述したような解析の結果得られる表示用データ( 画像データ) が文書表示装置１に送信される（Ｓ１５）。
【００３１】
一方、上記所定時間Ｔ以内に文書データの読み込みが完了していない場合には、未完了である旨を示す値を読み込み途中の文書データに付加し、その状態の文書データが解析制御部１３にて表示用データに変換される（Ｓ１４）。そして、この未完了である旨を示す値が付された表示用データ( 画像データ) が文書表示装置１に送信される。
【００３２】
図５に戻って、上述したように、文書データの要求信号をデータ読み込み装置８に送信した（Ｓ２）後に、待ち状態となる表示制御部４がデータ読み込み装置８から表示用データが受信されたと判定すると（Ｓ３）、その受信した表示用データが完成したものであるか否かが判定される（Ｓ４）。この判定は、上述したような読み込みデータが未完成である旨を示す値が表示用データに付加されているか否かによってなされる。
【００３３】
受信した表示用データが完成したものであると判定されると、表示制御部４は、データ読み込みが成功したと判断しする（Ｓ５）。そして、その表示用データがデータ格納部３に格納され、上述したようにその表示用データを用いて文書画像が表示ユニット２に表示される。
一方、受信した表示用データが完成したものではないと判定されると、内部カウンタが所定値Ｎを超えたか否か（ｎ＞Ｎ）が判定される（Ｓ６）。そして、その内部カウンタが所定値Ｎを超えていなかった場合、内部カウンタを＋１だけインクリメントした（Ｓ８）に、再度、当該文書データの要求信号をデータ読み込み装置８に送信する（Ｓ２）。以後、文書表示装置１及びデータ読み込み装置８にて同様の処理が実行される。
【００３４】
その処理の過程で、受信した表示用データが完成したものであると判定されると（Ｓ４でＹＥＳ）、読み込み成功と判断され、その表示用データを用いて文書画像の表示が行われる。また、上記処理の過程で、内部カウンタが所定値Ｎを超えると（Ｓ６でＹＥＳ）、文書データの読み込み失敗と判定され（Ｓ７）、例えば、要求に係る文書データが取得できなかった旨が表示ユニット２に表示される。
【００３５】
図３に示すように要求に係る文書画像１６とリンク先の文書１７が表示ユニット２に表示されている状態で、ユーザがリンク先の文書１７を閲覧したい場合、ユーザはリンク情報の要求指示を行う。すると、このリンク情報の要求信号が送信部７からデータ読み込み装置８に送信される。なお、リンク情報の要求に係る処理も、図５に示す手順に従って行われる。
【００３６】
このリンク情報の要求信号をデータ読み込み装置８の受信部１１が受信すると、解析制御部１３は、前述した要求に係る文書データを解析し、該文書データに含まれる他の文書データとのリンクを抽出する。そして、その解析結果に基づいて、要求に係る文書データから変換された表示用データに含まれるリンク先の他のデータを明示する部位が検出される。即ち、図３に示す文書画像におけるリンク先データの位置及び大きさが検出される。そして、リンク元の画像に対応した表示用データにおいてリンク先の文書画像が明示される部位と当該リンク先の文書画像との関係がリンク情報として作成される。
【００３７】
このリンク情報は、例えば、図８に示すように、リンク先の文書を特定するファイル名( 識別子) と該リンク元の文書上においてリンク先の文書を小さく表示すべき位置とその大きさとの関係を示す。このリンク情報は、データ読み込み装置８の送信部１２から文書表示装置１に送信される。そして、リンク情報が文書表示装置１の受信部６にて受信されると、そのリンク情報はデータ格納部３に格納される。
【００３８】
このように、リンク情報が文書表示装置１に格納された後、ユーザが例えば、マウスを操作して図３に示すように表示された文書画像１６内のリンク先文書１７を指定すると、表示制御部４は、図９に示す手順に従って、その指定されたリンク先文書１７の要求を行う。
図９において、まず、表示ユニット２に表示される文書画像１７上のクリック位置ｐが取得される（Ｓ５０）。そして、図８に示すリンク情報から１つのレコードが抽出され（Ｓ５１）、そのレコードに記述された位置、大きさにて特定されるアンカーとなる範囲Ｒに上記クリック位置ｐが含まれるか否かが判定される（Ｓ５２）。このクリック位置ｐがアンカーとなる範囲Ｒに含まれていない場合、全てのリンク情報を調べたか否かが判定される（Ｓ５４）。そして、図８に示すリンク情報から次のレコードが抽出される（Ｓ５１）。その後、上記と同様の処理（Ｓ５２、Ｓ５４、Ｓ５１）が繰り返される。
【００３９】
その過程で、選択されたレコードに記載される位置及び大きさで特定されるアンカーとなる範囲Ｒにクリック位置ｐが含まれる場合（Ｓ５２でＹＥＳ）、そのレコードに記述されたファイル名で特定される文書が要求に係る文書として、そのファイル名で特定される文書データの要求信号がデータ読み取り装置８に送信される（Ｓ５３）。
【００４０】
その後、前述した処理に従って、要求に係る文書データに対応する表示用データがデータ読み取り装置８から文書表示装置１に提供される。その結果、文書表示装置１において、当該提供される表示用データに基づいて、リンク先の文書画像が所定のサイズにて表示ユニット２に表示される。
上記のように文書表示装置１に取り込まれたリンク情報は、リンク元の文書１６に対応を付けられ、その対応関係がデータ格納部３に格納される。以後、リンク元の文書１６とリンク情報との関連付けがデータ格納部３に格納された当該対応関係に基づいて管理される。そして、この管理に基づいて、リンク元の文書及びそれにリンクする文書を文書表示装置１にて表示させることができる。
【００４１】
上述した例によれば、文書表示装置１がＷＷＷ閲覧プログラムを備えていなくても、インターネット上のＷＷＷサーバからの文書データにもとづいた文書画像を閲覧することが可能となる。また、データ供給源９( ＷＷＷサーバ) から文書データ( ＨＴＭＬデータ) を読み込んで、その文書データの解析、表示用データへの変換の各処理を行うデータ読み込み装置８と、表示用データに基づいた文書画像の表示処理を行う文書表示装置１とが個別的に設けられているので、文書表示装置１での処理負担が軽減され、限られた計算リソースであってもより複雑な画像処理を行うことができるようになる。
【００４２】
更に、データ読み取り装置８に対して複数の文書表示装置１を接続するようにすれば、複数のユーザに対する文書閲覧のために単一のデータ読み取り装置８を設ければよいので、資源の有効的な活用が可能となる。
【００４３】
【発明の効果】
以上、説明してきたように、本願発明によれば、文書表示装置では、文書データの読み込み、解析、表示用データの作成等の処理を行う必要がなく、表示用データに基づいて文書画像を表示する処理だけを行うことが可能となるから、限られた計算リソースであっても、できるだけ処理速度の低下を招くことなく、文書画像表示の機能を充実させることができる。
【００４４】
また、単一のデータ読み込み装置に通信路を介して複数の文書表示装置を接続することが可能となる結果、資源の有効的な活用が可能となる文書閲覧システムを実現することができる。
本願発明によれば、上記のような文書閲覧システムで用いられるデータ読み込み装置を実現することができる。
【００４５】
更に、本願発明によれば、上記のような文書閲覧システムで用いられる文書表示装置を実現することができる。
【図面の簡単な説明】
【図１】本発明の実施の一形態に係る文書閲覧システムの構成例を示すブロック図である。
【図２】図１に示す文書閲覧システムにおける処理手順を示すシーケンス図である。
【図３】文書画像の表示例を示す図である。
【図４】文書画像の他の表示例を示す図である。
【図５】文書表示装置での処理の手順を示すフローチャートである。
【図６】文書データの要求処理の手順を示すフローチャートである。
【図７】データ読み込み装置での処理の手順を示すフローチャートである。
【図８】リンク情報の構造例を示す図である。
【図９】リンク先のデータ要求に係る処理の手順を示すフローチャートである。
【符号の説明】
１  文書表示装置
２  表示ユニット
３  データ格納部
４  表示制御部
５  通信部
６  受信部
７  送信部
８  データ読み込み装置
９  データ供給源
１０  通信部
１１  受信部
１２  送信部
１３  解析制御部
１４  読み込み部
【図１】
0003974292.tif 000002
【図２】
0003974292.tif 000003
【図３】
0003974292.tif 000004
【図４】
0003974292.tif 000005
【図５】
0003974292.tif 000006
【図６】
0003974292.tif 000007
【図７】
0003974292.tif 000008
【図８】
0003974292.tif 000009
【図９】
0003974292.tif 000010